(57)【要約】【課題】コストアップを図ることなく、また、外観のデザインを損なうことなく、報知音を使用者に気づかせることが可能な構造を有する携帯型電子機器を提供する。【解決手段】筐体１１０の表面から内部側に窪む凹部領域１１０ａが設けられ、この凹部領域１１０ａには、筐体１１０の内部に設けられた発音源からの音を筐体１１０の外部に響かせる孔１１０ｃが設けられている。これにより、歩数計１００を衣服のポケット、鞄の中に入れた場合であっても、孔１１０ｃが直接衣服等により塞がれることがなく、また、凹部領域１１０ａによって構成される空間を通して、孔１１０ｃからの放音の効果を確保することができる。【選択図】図５
0003162080.tif 000002
【実用新案登録請求の範囲】
【請求項１】
発音源と、
前記発音源を内部に収容する筐体と、を備え、
前記筐体は、前記筐体の表面から内部側に窪む凹部領域を含み、
前記凹部領域は、前記発音源からの音を前記筐体の外部に響かせる孔を有し、
前記筐体の内部側において前記孔は、通気フィルタによって覆われている、携帯型電子機器。
【請求項２】
前記凹部領域の前記孔が対向する位置には、前記凹部領域の開口の一部を覆うブリッジが設けられる、請求項１に記載の携帯型電子機器。
【請求項３】
前記凹部領域および前記ブリッジは、ストラップを取り付ける領域である、請求項２に記載の携帯型電子機器。
【請求項４】
前記筐体の主表面には、表示部が設けられ、
前記表示部に表示される情報の下方側に、前記孔を有する前記凹部領域が設けられる、請求項１から３のいずれかに記載の携帯型電子機器。
【請求項５】
前記孔からの当該携帯型電子機器の重心の位置までの距離は、前記孔からの前記筐体のみの重心の位置までの距離よりも大きく設けられる、請求項１から４のいずれかに記載の携帯型電子機器。
【請求項６】
前記筐体は、偏平形状を有し、
前記凹部領域は、前記筐体の側面側に設けられる、請求項１から５のいずれかに記載の携帯型電子機器。
【考案の詳細な説明】
【技術分野】
【０００１】
この考案は、発音機構を備える携帯型電子機器に関する。
【背景技術】
【０００２】
筐体内部に発音機構を備える携帯型電子機器の一例として、その音圧を高いレベルで保ったまま防水・防滴性を実現する浴室内設置用リモコンが、特許文献１（特開２０００−６５３５１号公報）に開示されている。
【０００３】
このような携帯型電子機器は、ケースに孔を設け、且つ、空気は通すが水を通さないフィルタを上記孔を覆うことで、孔が開いていながらも防水・防滴性を確保できる技術であり、浴室内設置用リモコンに限らず、携帯タイプの電子機器（例えば、携帯電話機、体動動検出装置、歩数計等)に広く用いられている。
【０００４】
しかしながら、このような製品においては、使用シーンによっては、その孔が塞がれる状態での使用となり、孔による放音の効果が十分発揮できない場合があった。たとえば、携帯電話機をポケットに入れたときには、孔は衣服や肌により圧縮された状態で塞がれていることが多い。
【０００５】
その結果、携帯電話機をポケットなどから出していれば十分気づくであろう音量で報知音が鳴っていても、ポケットに入れている際にはそれに気づかないケースもある。
【０００６】
また、孔が設けられる位置によっては、使用者が容易に孔に触ることが出来てしまうため、たとえば、ペンなど先の鋭利なもので触ることで、フィルタを破損してしまうおそれもある。
【０００７】
こういった問題を解決する方法として、上記孔の上に新たに別部品を被せ、音が反響する空間は確保しながらも使用者が接触することができない構造を採っている製品もある。
【０００８】
しかしながら、別部品を用いることで、コストアップ（部品点数が増えることや組立て工数が大きくなることによる)が生じてしまう。また、別部品を組み付けることで孔は隠すことができるが、本体の大きさや厚みといった、外観のデザイン的に重要な要素に悪影響を与えてしまう。
【先行技術文献】
【特許文献】
【０００９】
【特許文献１】特開２０００−６５３５１号公報
【考案の概要】
【考案が解決しようとする課題】
【００１０】
この考案は、上記課題を解決するためになされたもので、コストアップを図ることなく、また、外観のデザインを損なうことなく、報知音を使用者に気づかせることが可能な構造を有する携帯型電子機器を提供することにある。
【課題を解決するための手段】
【００１１】
この考案に基づいた携帯型電子機器においては、発音源と、上記発音源を内部に収容する筐体とを備えている。上記筐体は、上記筐体の表面から内部側に窪む凹部領域を含んでいる。上記凹部領域は、上記発音源からの音を上記筐体の外部に響かせる孔を有している。上記筐体の内部側において上記孔は、通気フィルタによって覆われている。
【００１２】
上記考案の他の形態においては、上記凹部領域の上記孔が対向する位置には、上記凹部領域の開口の一部を覆うブリッジが設けられる。
【００１３】
上記考案の他の形態においては、上記凹部領域および上記ブリッジは、ストラップを取り付ける領域である。
【００１４】
上記考案の他の形態においては、上記筐体の主表面には、表示部が設けられ、上記表示部に表示される情報の下方側に、上記孔を有する上記凹部領域が設けられる。
【００１５】
上記考案の他の形態においては、上記孔からの当該携帯型電子機器の重心の位置までの距離は、上記孔からの上記筐体のみの重心の位置までの距離よりも大きく設けられる。
【００１６】
上記考案の他の形態においては、上記筐体は、偏平形状を有し、上記凹部領域は、上記筐体の側面側に設けられる。
【考案の効果】
【００１７】
この考案に基づいた携帯型電子機器によれば、コストアップを図ることなく、また、外観のデザインを損なうことなく、報知音を使用者に気づかせることが可能な構造を有する携帯型電子機器を提供することが可能となる。
【図面の簡単な説明】
【００１８】
【図１】実施の形態における歩数計の全体構造を示す斜視図である。
【図２】実施の形態における歩数計の平面図である。
【図３】実施の形態における歩数計の側面図である。
【図４】実施の形態における歩数計の底面図である。
【図５】図２中のＶ−Ｖ線矢視断面図である。
【図６】実施の形態における歩数計の裏面カバーを外した状態の内部構造を示す概略図である。
【図７】実施の形態における歩数計のハードウェア構成の具体例を示す図である。
【図８】実施の形態における歩数計の機能構成の具体例を示す図である。
【図９】実施の形態における歩数計の使用状態を示す図である。
【図１０】実施の形態における歩数計の他の使用状態を示す図である。
【考案を実施するための形態】
【００１９】
以下、この考案に基づいた各実施の形態における携帯型電子機器について図面を参照して詳細に説明する。なお、以下に説明する各実施の形態において、個数、量などに言及する場合、特に記載がある場合を除き、本考案の範囲は必ずしもその個数、量などに限定されない。各図中、同一符号は同一または相当部分を指し、重複する説明は繰返さない場合がある。
【００２０】
なお、下記に示す実施の形態では、発音機構を備える携帯型電子機器の一例として歩数計に本考案を適用した場合について説明しているが、発音機構を備える携帯型電子機器として歩数計に限定されるものではなく、携帯電話機、歩数計以外の体動動検出装置、浴室内設置用リモコン等、発音機構を備える携帯型電子機器であれば、広く本考案を適用することができる。
【００２１】
（歩数計１００の構成）
図１から図６を参照して、本実施の形態における歩数計１００の構成について説明する。なお、図１は、歩数計１００の全体構造を示す斜視図、図２は、歩数計１００の平面図、図３は、歩数計１００の側面図、図４は、歩数計１００の底面図、図５は、図２中のＶ−Ｖ線矢視断面図、図６は、歩数計１００の裏面カバー１１２を外した状態の内部構造を示す概略図である。
【００２２】
図１から図３を参照して、この歩数計１００は、平面視において略正四角形の形状を有する扁平形状である。本体構成する筐体１１０は、表面カバー１１１と裏面カバー１１２とを有している。筐体１１０の内部には、後述する回路基板１０３、電池７０、および、発音源１０７等が収容されている。
【００２３】
表面カバー１１１と裏面カバー１１２との間は、防水性、防滴性を高めるため、超音波溶着で両者を接着し、あるいは、シール材（パッキン等）を挟み込んでいる。防水性、防滴性を考慮する必要がない場合には、このような処置を施す必要なはい。
【００２４】
表面カバー１１１の主表面１１０ｓには、液晶等を用いた表示部２０が設けられ、この表示部２０の周囲には、操作用のボタン３０が配置されている。
【００２５】
図４および図５を参照して、裏面カバー１１２には、裏面カバー１１２の表面から内部側に窪む凹部領域１１０ａが設けられている。具体的には、裏面カバー１１２の側面側から底面側に延びるように断面がＬ字形状となる底面を有する凹部が設けられている。また、この凹部領域１１０ａには、発音源１０７からの音を筐体１１０の外部に響かせる孔１１０ｃが設けられている。
【００２６】
さらに、この凹部領域１１０ａには、孔１１０ｃが対向する位置に、凹部領域１１０ａによって規定される開口の一部を覆うブリッジ１１０ｂが設けられている。本実施の形態におけるブリッジ１１０ｂは、凹部領域１１０ａを略均等に二分するように設けられ、また、その外表面は、裏面カバー１１２の外形を構成するように、面一となるように設けられている。
【００２７】
ブリッジ１１０ｂおよび孔１１０ｃを有する凹部領域１１０ａは、表示部２０に表示される情報の下方側Ｂ１に設けられている。ここで、表示部２０に表示される情報の下方側とは、表示部２０に表示される文字、数字、図形等の下端側を意味する。
【００２８】
また、図５および図６を参照して、孔１１０ｃには、筐体１１０の内部側においてこの孔１１０ｃを覆うように通気フィルタ１２０が設けられている。本実施の形態では、この通気フィルタ１２０には、空気は通すものの水を通さない微細孔を複数有するフィルタが用いられている。なお、水分の通過を考慮する必要がない場合には、内部への異物の混入を防止できる程度の細孔は複数有するフィルタの採用も可能である。
【００２９】
図６を参照して、筐体１１０の内部には、回路基板１０３、電池７０、および、発音源１０７等が所定位置に収容されている。ここで、孔１１０ｃからの歩数計１００の重心Ｃ２の位置までの距離Ｌ２は、孔１１０ｃからの筐体１１０のみの重心Ｃ１の位置までの距離Ｌ１よりも大きく設けられる。
【００３０】
ここで、筐体１１０のみの重心Ｃ１とは、回路基板１０３、電池７０、および、発音源１０７等の電子機器を全て除いた、表面カバー１１１と裏面カバー１１２との両者のみによる重心位置を意味する。
【００３１】
本実施の形態では、筐体１１０は、平面視において略正四角形の形状を有していることから、平面視において重心位置は、筐体１１０の略中心位置となる。また、質量の大きな電池７０を、筐体１１０のみの重心Ｃ１の位置を挟んで凹部領域１１０ａとは反対側の位置に配置している。
【００３２】
（ハードウェア構成）
次に、図７および図８を参照して、歩数計１００のハードウェア構成について説明する。図７を参照して、歩数計１００は、ハードウェア構成の一例として、全体を制御するためのＣＰＵ（Central Processing Unit）１０と、上述の表示部２０およびボタン３０と、加速度センサ４０と、ＣＰＵ１０で実行されるプログラム等を記憶するためのメモリ５０と、電池等の電源部７０とを含む。
【００３３】
さらに、図８を参照して、歩数計１００は、機能構成の一例として、加速度センサ４０からの入力に基づいて加速度を検知するための加速度検知部１０１と、表示部２０での表示を制御するための表示制御部１０２と、演算部１０３と、電源部７０に接続して装置全体に電力を供給する処理を行なうための電源接続部１０４と、ボタン３０からの操作信号の入力を受け付けて必要な信号を演算部１０３に入力するための操作部１０６と、圧電素子、磁気素子、共鳴器等のブーザー、小型スピーカ等により構成される発音源１０７とを含む。
【００３４】
これら機能は、ＣＰＵ１０がメモリ５０に記憶されるプログラムを読み出して実行することでＣＰＵ１０に形成されるものであってもよいし、少なくとも一部が、電気回路等のハードウェアで構成されてもよい。
【００３５】
表示部２０に表示される文字・数字等の情報は、視覚情報として使用者に伝達され、発音源１０７から発せられる音情報は、通気フィルタ１２０を通じて、聴覚情報として使用者に伝達される。
【００３６】
（作用・効果）
以上、本実施の形態における歩数計１００は、発音源１０７と、この発音源１０７を内部に収容する筐体１１０とを備え、筐体１１０は、この筐体１１０の表面から内部側に窪む凹部領域１１０ａを含み、この凹部領域１１０ａは、発音源１０７からの音を筐体１１０の外部に響かせる孔１１０ｃを有し、筐体１１０の内部側において孔１１０ｃは、通気フィルタ１２０によって覆われている。
【００３７】
これにより、歩数計１００を衣服のポケット、鞄の中に入れた場合であっても、孔１１０ｃが直接衣服等により塞がれることがなく、また、凹部領域１１０ａによって構成される空間を通して、孔１１０ｃからの放音の効果を確保することができる。
【００３８】
また、本実施の形態では、孔１１０ｃが対向する位置に、凹部領域１１０ａによって規定される開口の一部を覆うブリッジ１１０ｂが設けられている。これにより、外観上、孔１１０ｃは、ブリッジ１１０ｂにより隠れた位置となる。その結果、使用者が容易に孔に触ることができなくなり、ペンなど先の鋭利なもので触ることを抑制する。
【００３９】
また、表面カバー１１１および裏面カバー１１２を有する筐体１１０は、通常樹脂成型品で製造されることから、凹部領域１１０ａおよびブリッジ１１０ｂも裏面カバー１１２の成形工程において容易に形成することができる。その結果、コストアップを生じさせることはない。また、厚みの増加、投影面積の拡大を伴わないため、外観のデザインを損なうこともない。
【００４０】
また、孔１１０ｃからの歩数計１００の重心Ｃ２の位置までの距離Ｌ２は、孔１１０ｃからの筐体１１０のみの重心Ｃ１の位置までの距離Ｌ１よりも大きく設けられている。これにより、歩数計１００をポケットや鞄の中に収容した場合に、歩数計１００の重心Ｃ２が下方位置となる結果、孔１１０ｃを上方に位置させることができる。その結果、その結果、発音源１０７から発せられる音情報を、使用者１に伝達することができる。
【００４１】
（使用形態）
また、具体的な使用形態の事例について、図９および図１０を参照して説明する。図９は、凹部領域１１０ａおよびブリッジ１１０ｂを、ストラップ２００を取り付ける領域として使用した場合を示している。この場合、孔１１０ｃが設けられる凹部領域１１０ａの位置は、使用者１の頭部側（耳のある側）に位置することになる。その結果、発音源１０７から発せられる音情報を、使用者１に確実に伝達することができる。
【００４２】
また、ブリッジ１１０ｂおよび孔１１０ｃを有する凹部領域１１０ａは、表示部２０の下方側Ｂ１側に設けられていることから、使用者１が、歩数計１００を手に持って表示部２０を確認する場合には、使用者１にとって表示部２０の上下方向が正しい向きとなり、使用者１に対する視覚情報の伝達を確かなものとする。
【００４３】
図１０は、リストバンド３００に歩数計１００を装着した使用状態を示している。この場合、歩数計１００のリストバンド３００への装着方向は、表示部２０の上下方向が基準となる。その結果、使用者１が、腕を曲げて表示部２０を確認すた場合には、孔１１０ｃが設けられる凹部領域１１０ａの位置は、使用者１の頭部側（耳のある側）に位置することになる。その結果、発音源１０７から発せられる音情報を、使用者１に確実に伝達することができる。
【００４４】
なお、上記歩数計１００では、凹部領域１１０ａにブリッジ１１０ｂを設ける構成について説明したが、ブリッジ１１０ｂを設けない構成の採用も可能である。ブリッジ１１０ｂを設けない場合であっても、孔１１０ｃが直接衣服等により塞がれることがなく、また、凹部領域１１０ａによって構成される空間により、孔１１０ｃからの放音の効果を確保することができる。
【００４５】
以上、本考案の実施の形態について説明したが、今回開示された実施の形態は全ての点で例示であって制限的なものではないと考えられるべきである。本考案の本質は、携帯型電子機器において、発音源と、この発音源を内部に収容する筐体とを備え、筐体は、この筐体の表面から内部側に窪む凹部領域を含み、この凹部領域は、発音源からの音を筐体の外部に響かせる孔ｃを有し、筐体の内部側において孔は、通気フィルタによって覆われている点にある。
【００４６】
よって、本考案の範囲は実用新案登録請求の範囲によって示され、実用新案登録請求の範囲と均等の意味および範囲内での全ての変更が含まれることが意図される。
【符号の説明】
【００４７】
１  使用者、１０  ＣＰＵ（Central Processing Unit）、２０  表示部、３０  ボタン、４０  加速度センサ、５０  メモリ、７０  電源部（電池）、１００  歩数計、１０１  加速度検知部、１０２  表示制御部、１０３  回路基板（演算部）、１０７  発音源、１１０  筐体、１１０ａ  凹部領域、１１０ｂ  ブリッジ、１１０ｃ  孔、１１０ｓ  主表面、１１１  表面カバー、１１２  裏面カバー、１２０  通気フィルタ、１０４  電源接続部、１０６  操作部、１０７  発音源、２００  ストラップ、３００  リストバンド。
【図１】
0003162080.tif 000003
【図２】
0003162080.tif 000004
【図３】
0003162080.tif 000005
【図４】
0003162080.tif 000006
【図５】
0003162080.tif 000007
【図６】
0003162080.tif 000008
【図７】
0003162080.tif 000009
【図８】
0003162080.tif 000010
【図９】
0003162080.tif 000011
【図１０】
0003162080.tif 000012